(57)【要約】
【課題】  屋根の勾配にかかわらず極めて簡易な作業によりソーラパネル装置を所定角度で設置することを可能とする。
【解決手段】  屋根２上に設置される固定架台５に対してソーラパネル装置４を実装た可動架台６が、下側部位を角度調整機構２９を介して回動自在に組み合わされる。可架台６の上段部位を所定の高さに持ち上げて固定架台５との間を支柱部材７によって固することにより、ソーラパネル装置４を所定の角度に設定して設置する。
【選択図】  図３
0003101437.tif 000002
【実用新案登録請求の範囲】
【請求項１】
防さび特性を有する金属材を全体枠状に組み合わせてなり、下側枠部材に複数の支持が設けられるとともに各枠部材に設けた取付部を屋根側に設けた取付部にそれぞれ固定ることによって前記屋根上にその勾配に合わせて設置される固定架台と、
防さび特性を有する金属材を全体枠状に組み合わせてなり、前記固定架台の下側枠部と相対する下側枠部材に前記各支持部に対して回動自在に結合される複数の支点部が設られ、多数個のソーラパネルをそれぞれのパネル面が同一面を構成するようにして配列て実装する可動架台と、
それぞれ防さび特性を有する金属材によって形成され、前記固定架台の上側枠部材にして前記可動架台の上側枠部材を所定の間隔に保持するように連結する複数の支柱部材を備え、
前記各支柱部材と前記固定架台又は前記可動架台との固定位置を変えることによって前記可動架台に実装した前記各ソーラパネルに所定の傾斜角度を付与して設置すること特徴とするソーラパネル取付架台。
【請求項２】
前記各ソーラパネル間或いはソーラパネルと枠部材との間に構成される隙間を閉塞すカバー部材を備え、
前記カバー部材が、表面が低摩擦特性を以って形成されるとともに、枠部材に対して記ソーラパネルの固定手段を共用して固定されることを特徴とする請求項１に記載のソラパネル取付架台。
【考案の詳細な説明】
【技術分野】
【０００１】  本考案は、屋根上に多数個のソーラパネルを設置して太陽光エネルギーを利用して自発電等を行うソーラパネル装置に備えられ、屋根の傾斜角度にかかわらず各ソーラパネを所定の角度に設定して設置するソーラパネル取付架台に関する。
【背景技術】
【０００２】  ソーラパネル装置は、半導体の光起電力効果を利用して太陽エネルギーを電気的エネギーに変換する多数個のソーラセルを同一平面上に並べてパネル化してなる。ソーラパル装置は、多数個のソーラパネルが取付架台上に配列されて実装され、屋根等に設置さて自家発電を行って電力を供給する。ソーラパネル装置は、一般家庭の家屋においてもの屋根上に設置され、商用電力の補助的電力供給源として利用されている。【０００３】  ソーラパネル装置においては、発電効率の向上を図るためにパネル面に対して太陽光より垂直に近い角度で入射されるように設置することが好ましい。特許文献１には、前角度修正シリンダを備えてソーラパネルを前後方向に揺動自在に支持し、一日の時間帯いは季節に応じてパネル面の角度を調整する技術が開示されている。また、特許文献２は、パネル面をエアマットによって支持し、エアマット内の空気量をコンプレッサによて調整することでパネル面の角度を調整する技術が開示されている。
【特許文献１】  実用新案登録第３０７０６３７号公報
【特許文献２】  特開２００１−９１８１８号公報
【考案の開示】
【考案が解決しようとする課題】
【０００４】  ところで、一般家屋に設置されるソーラパネル装置は、材質や勾配等の仕様が多種多な屋根に設置されることから、いわゆる現場対応により製作された取付架台が用いられ設置されていた。従来のソーラパネル装置の設置方法は、一般に屋根の勾配に合わせて定の傾斜角度を付した取付架台を予め組み立てるとともに、この取付架台に対して多数のソーラパネルを順序よく配列して実装して所定の配線工事等を行っていた。【０００５】  かかる従来の設置方法においては、取付架台の傾斜角度によって上段側のソーラパネが屋根面から高い位置で実装しなければならないこともある。したがって、従来の設置法においては、足場等を必要とすることもあって設置のための工数や費用が大きくなるともに、危険な作業となるといった問題があった。【０００６】  上述した各先願のように角度調整構造を備えるソーラパネル装置は、効率的な発電がわれるようになることから有効である。しかしながら、かかるソーラパネル装置は、設後のパネル面の角度を調整する技術であり、上述した施工時時の問題を解消する課題を決するものでは無い。また、かかる角度調整構造は、比較的小型のソーラパネル装置にいて適用することは可能であっても、一般家屋に設置されるような規模のソーラパネル置への適用は困難である。【０００７】  したがって、本考案は、一般家屋の屋根上にその勾配にかかわらず極めて簡易な作業よってソーラパネル装置を所定の角度で設置することを可能とするソーラパネル取付架を提供することを目的に提案されたものである。
【課題を解決するための手段】
【０００８】  上述した目的を達成する本考案にかかるソーラパネル取付架台は、屋根の勾配に合わて設置される固定架台と、多数個のソーラパネルを実装する可動架台と、これら固定架と可動架台とを連結する複数の支柱部材とを備える。固定架台は、防さび特性を有する属材を全体枠状に組み合わせてなり、下側枠部材に複数の支持部が設けられるとともに枠部材に設けた取付部を屋根側に設けた取付部にそれぞれ固定することによって屋根上その勾配に合わせて組み立てられる。可動架台は、防さび特性を有する金属材を全体枠に組み合わせてなり、固定架台の下側枠部材と相対する下側枠部材に各支持部に対して動自在に結合される複数の支点部が設けられ、多数個のソラーパネルをそれぞれのパネ面が同一面を構成するようにして配列して実装する。支柱部材は、それぞれ防さび特性有する金属材によって形成され、固定架台の上側枠部材に対して可動架台の上側枠部材所定の間隔に保持するように連結する。【０００９】  本考案にかかるソーラパネル取付架台においては、固定架台を屋根上に組み立てた状で、この固定架台に対して相対する各支持部と各支点部とを介してそれぞれの下側枠部間を結合することにより可動架台を重ね合わせるようにして組み合わせる。本考案にかるソーラパネル取付架台においては、可動架台上に所定個数のソーラパネルを配列して装する。本考案にかかるソーラパネル取付架台においては、固定架台に対して可動架台所定の角度となるようにその上側枠部材側を持ち上げるとともに、その位置において各柱部材によって固定架台と可動架台の上側枠部材側を固定する。したがって、本考案にかるソーラパネル取付架台においては、屋根の勾配にかかわらず各ソーラパネルのパネ面が所定の傾斜角度を付されて設置される。【００１０】  また、本考案にかかるソーラパネル取付架台は、各ソーラパネル間或いはソーラパネと枠部材との間に構成される隙間を閉塞するカバー部材を備え、このカバー部材が表面低摩擦特性を以って形成されるとともに枠部材に対してソーラパネルの固定手段を共用て固定される。【００１１】  本考案にかかるソーラパネル取付架台においては、カバー部材が、ソーラパネルととに上側枠部材或いは下側枠部材に簡易に取り付けられて外観の向上を図るとともに、例ば降雪地域において設置される場合にパネル面に降った雪を効率的に滑落させるようにる。本考案にかかるソーラパネル取付架台においては、
【考案の効果】
【００１２】  以上詳細に説明したように、本考案にかかるソーラパネル取付架台によれば、固定架に対して多数個のソラーパネルを実装した可動架台を回動させて所定の角度に設定した態で支柱部材を介して固定することから、勾配を異にする屋根上に各ソラーパネルのパル面を極めて容易かつ安全で効率的な作業によって所定角度に設定して設置することが能となる。したがって、本考案にかかるソーラパネル取付架台によれば、設置作業に要る作業員数や時間が削減されてコスト低減が図られるとともに、より効率的な自家発電行われるようになる。【００１３】  本考案にかかるソーラパネル取付架台においては、各ソラーパネルの外周部位に構成れる隙間を閉塞するカバー部材が部品数を低減されて取り付けられることによって、降地域に設置する場合においても、外周部位の雪だまりの発生を抑制してソラーパネルの損或いは発電効率の低下等の発生を低減する。本考案にかかるソーラパネル取付架台にいては、カバー部材が各ソラーパネルの外周部位を縁取りすることによって外観の向上図るようにする。
【考案を実施するための最良の形態】
【００１４】  以下、本考案の実施の形態として図面に示したソーラパネル取付架台１について詳細説明する。ソーラパネル取付架台１は、図１及び図２に示すように、家屋の屋根２上に縦３列、横４列に配列した合計１２個のソーラパネル３を有するソーラパネル装置４を作業性や安全性の向上を図って設置することを可能とする。ソーラパネル装置４は、従の一般的なソーラパネル装置に用いられるものと同様であり、詳細を省略するがパネル体に多数個のソーラセルを互いに電気的に接続してなるソーラパネル３をそれぞれのパル面が互いに同一平面上を構成するようにして配列してなる。ソーラパネル装置４は、ソーラパネル３のパネル枠体に相互間或いは取付架台との接続部や固定部が適宜形成さており、これら接続部や固定部を介して各ソーラパネル３が相互に結合されるとともに付架台上に取り付けられる。【００１５】  ソーラパネル取付架台１は、図１及び図２に示すように、屋根２の勾配に合わせて設固定される固定架台５と、この固定架台５に対して下方部位を回動自在に支持されて組合わされるとともに多数個のソーラパネル３からなるソーラパネル装置４を実装した可架台６と、固定架台５に対して可動架台６を所定の角度を以って開いた状態に保持してみ合わせる複数本の支柱部材７とを備える。ソーラパネル取付架台１は、屋根２上におて固定架台５を組み立ててしっかりと固定し、この固定架台５に対して可動架台６を重合わせるようにして組み立てる。ソーラパネル取付架台１は、可動架台６に対して多数のソーラパネル３がそれぞれのパネル面を互いに同一面を構成するようにして配列して装する。ソーラパネル取付架台１は、固定架台５に対して所定の角度となるように可動台６がその上側部位を持ち上げられるとともに、その位置において各支柱部材７によっ固定されてなる。【００１６】  ソーラパネル取付架台１は、固定架台５や可動架台６が詳細を後述するように多数本枠部材が用いてそれぞれ全体矩形枠体に組み合わせて構成してなる。各枠部材は、例えステンレス材や防さび処理を施したＬ字鋼材或いは角パイプ材等が用いられる。ソーラネル取付架台１は、枠部材に上述したＬ字材を用いることによって、充分な機械的強度軽量化が図られるようになる。なお、枠部材には、Ｌ字材ばかりでなく例えば角パイプやＨ鋼材等を用いてもよく、また後述する主要部位と補助的部位とで使い分けを行うよにしてよい。【００１７】  固定架台５は、図１に示すように、上述した枠部材が用いられる上下一対の主横枠部８、９と左右一対の主縦枠部材１０、１１とを組み合わせてソーラパネル装置４の全体外形寸法とほぼ等しい矩形枠体を構成してなる。固定架台５は、この矩形枠体を基本形としてその内部で２本の横支持枠部材１２、１２と１１本の縦支持枠部材１３〜１３とそれぞれ各ソーラパネル３の外形寸法とほぼ等しい間隔を以って格子状に組み合わされそれぞれの両端を主横枠部材８、９と主縦枠部材１０、１１とに結合されてなる。なお固定架台５は、各枠部材が、それぞれ交差する位置において例えばそれぞれ防さび特性有するＬ字ブラケットや締結ボルト、ナット、ワッシャ等からなる結合構造によって結されることによって一体化される。【００１８】  固定架台５��は、図２に示すように主横枠部材８、９や主縦枠部材１０、１１或いは支持枠部材１２や縦支持枠部材１３に、それぞれの底面部に架台固定ブラケット部材１が適宜設けられている。架台固定ブラケット部材１４には、例えば防さび特性を有する字ブラケットが用いられ、一端側を各枠部材にボルト締めするとともに、他端側が各枠材から脚状に突出されてなる。固定架台５は、架台固定ブラケット部材１４の脚状部位屋根２に設けた図示を省略するアンカー等の固定部にボルト締めされることによって、１及び図２に示すように屋根２上にその勾配に合わせて固定される。【００１９】  可動架台６も、上述した枠部材が用いられて固定架台５とほぼ同一形状の枠体に形成れてなる。可動架台６も、図１に示すように、上下一対の主横枠部材１５、１６と左右対の主縦枠部材１７、１８とを組み合わせてソーラパネル装置４の全体の外形寸法とほ等しい矩形枠体を構成してなる。可動架台６は、この矩形枠体を基本形状としてその内で１１本の縦支持枠部材がそれぞれ各ソーラパネル３の外形寸法とほぼ等しい間隔を以て格子状に組み合わされ、それぞれの両端を主横枠部材１５、１６と主縦枠部材１７、８とに結合されてなる。なお、可動架台６は、ソーラパネル装置４を実装することによて枠体の機械的強度が保持されることから主横枠部材１５、１６間に敢えて横支持枠部を設けなかったが、固定架台５と同様に設けてもよい。【００２０】  可動架台６は、上述したように固定架台５と同等に形成されることによって互いに互性を有し、共通部品化が図られてコスト低減が図られるとともに作業性の向上が図られようになる。したがって、可動架台６にも、主横枠部材１５、１６や主縦枠部材１７、８或いは縦支持枠部材２０に複数の取付ブラケット部材２１がそれぞれ設けられる。可架台６は、これら取付ブラケット部材２１を利用して固定架台５との組合せ或いは支柱材７の取付が行われる。【００２１】  可動架台６には、主横枠部材１５、１６や主縦枠部材１７、１８或いは縦支持枠部材０に、各ソーラパネル３の実装領域に対応してそれぞれ取付部が形成されている。図３参照して、最下段に設置されるソーラパネル３ａと可動架台６の主横枠部材１６との結構造を代表して説明する。主横枠部材１６には、ソーラパネル３ａの実装領域の外側近位置に取付孔２１が形成されている。ソーラパネル３ａには、底面に一端を固定された数個のＬ字状のソーラパネルブラケット部材２２が、それぞれの自由端側の立上り片２ａを外方に突出させて設けられている。【００２２】  可動架台６は、複数個のソーラパネル取付ブラケット部材２３によって、ソーラパネブラケット部材２２を介してソーラパネル３ａを主横枠部材１６上に固定する。ソーラネル取付ブラケット部材２３は、断面コ字状に形成され、図示を省略するが天井部２３に取付孔が形成されている。ソーラパネル取付ブラケット部材２３は、一方の脚部２３をソーラパネル３ａとソーラパネルブラケット部材２２との間に嵌合するとともに、天部２３ａの取付孔から嵌挿した締結ボルト２４によって主横枠部材１６に締結されるこによりソーラパネル３ａを主横枠部材１６に固定する。ソーラパネル取付ブラケット部２３は、他方の脚部２３ｃが、主横枠部材１６にボルト２５によって固定されるＬ字状パネル止めアングル２６により保持される。【００２３】  ソーラパネル取付架台１においては、上述した固定架台５側の主縦枠部材１０、１１縦支持枠部材１３の下端部位にそれぞれ支持部２７が設けられるとともに、可動架台６の主縦枠部材１７、１８と縦支持枠部材２０の下端部位にそれぞれ支点部２８が設けらている。ソーラパネル取付架台１においては、固定架台５に対して可動架台６が、相対る支持部２７と支点部２８とを組み付けることによって下端部位において回動自在とさて重ね合わせ状態で組み合わされる。【００２４】  ソーラパネル取付架台１においては、可動架台６が固定架台５に対して重ね合わされ状態において、この可動架台６上に上述した各ソーラパネル３の組付が行われる。すなち、ソーラパネル取付架台１においては、屋根２上に固定架台５を設置し、この固定架５に重ね合わされることによって屋根２の勾配と平行状態の可動架台６に対して各ソーパネル３の組付が行われる。したがって、ソーラパネル取付架台１においては、従来のうに高い屋根２の上で所定の角度に傾斜された取付架台に対してソーラパネルをその角に合わせて立てかけるとともにこれを倒れないように保持しながら取り付けるために複人を必要とした取付方法と比較して、一人の作業者によっても各ソーラパネル３の取付行うことを可能とする。ソーラパネル取付架台１においては、作業効率の向上と工数の幅な削減が図られるようになり、また風の強い日でもソーラパネル３にかかる風圧が低されるとともに簡易な取扱い作業によって安全性も図られるようになる。【００２５】  ソーラパネル取付架台１について、図３及び図４を参照して固定架台５側の主横枠部９に形成された支持部２７と可動架台６側の主横枠部材１６に形成された支点部２８とよって構成される角度調整機構２９について代表して説明する。なお、ソーラパネル取架台１には、上述したように固定架台５と可動架台６との相対する下端部位にそれぞれ持部２７と支点部２８とからなる角度調整機構２９が設けられている。【００２６】  支持部２７は、主横枠部材９の下端部に、長さ方向に向けられて立設された支持ブラット部材３０とこの支持ブラケット部材３０に厚み方向に貫通して形成された軸孔に組付けられた角度調整ヒンジ３１とを備える。角度調整ヒンジ３１は、詳細を省略するがえば軸孔内に多数個のクリック凹部が形成されるとともに複数のクリックボールが収納れてなり、軸孔内に外周部にクリック凹部が形成された相手側の軸部が嵌合される。角調整ヒンジ３１は、軸部を適宜回転することによってクリックボールが軸孔側のクリッ凹部と軸部側のクリック凹部との入り込んで回転方向の位置決めを行う機能を有する。お、角度調整ヒンジ３１は、かかる構造に限定されるものでは無く、従来一般的に用いれている各種の機構が採用される。【００２７】  支点部２８は、主横枠部材１６の下端部に支持ブラケット部材３０と対向して一体に設された支点ブラケット部材３２と、この支点ブラケット部材３２の軸孔を介して支持２７側の角度調整ヒンジ３１の軸孔に嵌挿される支点ボルト３３とを備える。支点部２は、支点ブラケット部材３２が支持部２７側の支持ブラ��ット部材３０と厚み方向に重合わされるように配置された状態で、支点ボルト３３が角度調整ヒンジ３１の軸孔に嵌される。なお、支点部２８は、支点ブラケット部材３２が、上述した固定架台５側の架固定ブラケット部材１４と同等の部材からなる。【００２８】  以上のように構成された角度調整機構２９は、角度調整ヒンジ３１の軸孔に支点ボル３３が嵌挿されることによって、支点部２８を支持部２７に組み合わせる。角度調整機２９は、後述するように固定架台５に対して可動架台６が上端部側を持ち上げられるこによって、図４矢印で示すように可動架台６を回動させて所定の傾斜角度に設定可能とる。角度調整機構２９は、可動架台６が所定の傾斜角度まで回動操作された状態で、そ位置で保持するようにする。【００２９】  ところで、ソーラパネル装置４においては、例えば降雪地域に設置される場合に、パル面に降った雪が各ソーラパネル３間に構成された隙間に入り込んで雪だまりを生じさる。ソーラパネル装置４においては、雪の重みによってソーラパネル３が破損したり配のショート等が発生する虞がある。ソーラパネル取付架台１においては、図２に示すよに各ソーラパネル３間に構成される隙間を閉塞する複数のカバー部材３４が取り付けらる。各カバー部材３４は、ソーラパネル装置４が例えば降雪地域に設置される場合に、ネル面に降った雪が各ソーラパネル３間に構成された隙間に入り込んで雪だまりを生じせることを抑制する。また、各カバー部材３４は、設置状態において各ソーラパネル３外周部を縁取ることで外観を向上させる化粧カバーの機能も奏する。【００３０】  カバー部材３４は、図３及び図４に示すようにソーラパネル装置４の外周部位に設置れるソーラパネル３に対して組み付けられる側面カバー部材３４ａがその上面部位と側部位とを覆うように断面Ｌ字状に形成されてなり、また図５及び図６に示すように内部設置されるソーラパネル３に対して組み付けられる内方カバー部材３４ｂが断面コ字状形成されてなる。各カバー部材３４は、防さび特性を有する金属板によって形成されるともに、表面に例えばフッ素塗装を施すことによって雪を効率的に滑落させる表面処理施されてなる。【００３１】  側面カバー部材３４ａは、図３及び図４に示すように、側面部３５ａを主横枠部材１の側面に対向させるとともに直角に折曲された天井部３５ｂの先端部位をソーラパネルの外周縁部を覆うようにして組み付けられ、取付ボルト３６によって固定される。側面バー部材３４ａは、上述したパネル止めアングル２６が共用されてその先端部によって井部３５ｂを支えられる。なお、図３及び図４に示した側面カバー部材３４ａは、最下位置のソーラパネル３ａの下側外周部を被覆するため主横枠部材１６に設けられたが、上段位置或いは側面位置の各ソーラパネルを被覆する側面カバー部材も同様に構成され相対する主横枠部材１７や主縦枠部材１７、１８に固定される。【００３２】  内方カバー部材３４ｂは、図５及び図６に示すように隣り合って設置されるソーラパル３ｃ、３ｄとともに取付ボルト３５を共用して縦支持枠部材２０に固定される。ソーパネル３ｃ、３ｄは、相互の隙間に上述した底面から突出したソーラパネルブラケット材２２が互いに向き合うよ���にして縦支持枠部材２０上に設置され、各ソーラパネルブケット部材２２に対してコ字状のソーラパネル取付ブラケット部材２３の両脚部２３ａ２３ｂがそれぞれ嵌合される。ソーラパネル３ｃ、３ｄは、ソーラパネル取付ブラケッ部材２３に嵌挿された取付ボルト３５と、この取付ボルト３５にそれぞれねじ込まれたット３６、３７とにより縦支持枠部材２０に固定される。【００３３】  内方カバー部材３４ｂは、ソーラパネル取付ブラケット部材２３の天井部２３ａ上にみ合わされることによってソーラパネル３ｃ、３ｄの側面間に介在される。内方カバー材３４ｂには、ソーラパネル３の厚みよりも長軸の取付ボルト３５が天井部から突出さる。内方カバー部材３４ｂは、この取付ボルト３５の先端からナット３８をねじ込むこによって、縦支持枠部材２０に固定される。また、内方カバー部材３４ｂは、ナット３をねじ込むことによって、ソーラパネル取付ブラケット部材２３をソーラパネルブラケト部材２２に押し付けてソーラパネル３を固定する。【００３４】  以上のように構成されたソーラパネル取付架台１においては、屋根２上で組み立てらた固定架台５がその勾配に合わせて固定されるとともに、この固定架台５上に重ね合わるようにして可動架台６が組み立てられる。ソーラパネル取付架台１においては、可動台６が、各支点部２８を相対する各支持部２７に組み付けることによって、固定架台５対して下端部位を回動自在に支持されて組み合わされる。ソーラパネル取付架台１におては、屋根２の勾配に合わせて傾斜された可動架台６に対して各ソーラパネル３を配列て取り付けることによってソーラパネル装置４を設置する。ソーラパネル取付架台１にいては、各ソーラパネル３間の間隙及び外周側面部を閉塞するようにして各カバー部材７が取り付けられる。【００３５】  ソーラパネル取付架台１においては、可動架台６が上端側を持ち上げられると、各支部２７に対して回動自在に組み付けた各支点部２８を支点として回動する。ソーラパネ取付架台１においては、各支持部２７と各支点部２８とに設けた角度調整機構２９によて、固定架台５に対して可動架台６が任意の傾斜角度に設定されて組み合わされるようする。ソーラパネル取付架台１においては、この状態で図１及び図２に示すように、固架台５側の上側主横枠部材８と可動架台６側の上側主横枠部材１５との間が複数本の第支柱部材７によって連結される。また、ソーラパネル取付架台１においては、固定架台側の各縦枠部材１０、１１、１３と可動架台６側の各縦枠部材１７、１８、２０との間複数本の第２支柱部材３８によって連結される。【００３６】  各第１支柱部材７及び各第２支柱部材３８も、例えばステンレス材や防さび処理を施たＬ字鋼材或いは角パイプ材等が用いられる。各第１支柱部材７及び各第２支柱部材３も、枠部材に上述したＬ字材を用いることによって、充分な機械的強度と軽量化が図らるようになる。なお、第１支柱部材７及び各第２支柱部材３８には、Ｌ字材ばかりでな例えば角パイプ材やＨ鋼材等を用いてもよく、また後述する主要部位と補助的部位とでい分けを行うようにしてよい。【００３７】  各第１支柱部材７は、上述したように固定架台５に対して可動架台６が所定の傾斜角を付される高さ位置を保持する長さを有している。各第１支柱部材７は、両端部を上側横枠部材８、１５とにそれぞれ固定することによって、固定架台５と可動架台６とを一化する。各第１支柱部材７は、上側主横枠部材８、１５に設けた取付脚部を構成する取ブラケット１４を利用して、上側主横枠部材８、１５にそれぞれボルト締めされる。各１支柱部材７は、上側主横枠部材８、１５に連結される各縦枠部材の固定位置に対応しそれぞれ設けられる。なお、各第１支柱部材７については、上側主横枠部材８、１５にり付けた結合用部材を介してそれぞれ両端を固定されるようにしてもよい。【００３８】  各第２支柱部材３８は、固定架台５側の各縦枠部材１０、１１、１３と可動架台６側各縦枠部材１７、１８、２０とをそれぞれの長さ方向の途中箇所において、固定架台５対して可動架台６が所定の傾斜角度を付される高さ位置を保持する長さを有している。第２支柱部材３８は、両端部を固定架台５側の各縦枠部材１０、１１、１３と可動架台側の各縦枠部材１７、１８、２０とに固定することによって、固定架台５と可動架台６を一体化する。各第２支柱部材３８も、取付ブラケット１４を利用してこれら各縦枠部１０、１１、１３、１７、１８、２０にそれぞれボルト締めされる。【００３９】  ソーラパネル取付架台１においては、上述したように各第１支柱部材７を固定架台５の上側主横枠部材８と可動架台６側の上側主横枠部材１５との間を連結することにより上方側面部位に枠体が構成される。ソーラパネル取付架台１においては、各枠体部位の角に位置する隣り合う第１支柱部材７間を筋交い部材３９で連結することによって、機的強度の向上が図られている。【００４０】  なお、ソーラパネル取付架台１においては、第１支柱部材７や第２支柱部材３８或い筋交い部材３９が、ソーラパネル装置４の大きさ、必要な機械的強度等に応じて、必要本数が用いられて組み立てられる。また、ソーラパネル取付架台１においては、側面側も筋交い部材を用いるようにしてもよい。【００４１】  なお、上述した実施の形態においては、固定架台５も主横枠部材８、９と主縦枠部材０、１１からなる枠体に対して各ソーラパネル３の外形寸法とほぼ等しい間隔を以って支持枠部材１２と縦支持枠部材１３とを格子状に組み合わせて構成することによって、動架台６と互換性を図ったが、かかる構造に限定されるものでは無い。固定架台５につては、屋根２に対して充分な取付強度を有するとともに可動架台６を支持すればよく、支持枠部材１２や縦支持枠部材１３を減らすようにしてもよい。【００４２】  また、上述した実施の形態においては、各ソーラパネル３に対応してそれぞれの外周に構成される隙間を閉塞するカバー部材２５を取り付けるようにしたが、かかる構成に定されるものでは無い。カバー部材２５は、少なくとも雪だまりが形成されやすい主横部材１５、１６と最上段位置のソーラパネルと及び最下段位置のソーラパネルとの間に成される隙間を閉塞するようにして設けるようにしてもよい。【００４３】  また、上述した実施の形態においては、可動架台６に対してソーラパネル装置４を実した後にこの可動架台６の上端側を押し上げて固定架台５に対して所定の角度に設定すようにしたが、かかる組立方法に限定されるものでは無い。ソーラパネル取付架台１にいては、大型のソーラパネル装置４を実装する場合に可動架台６の押上げ操作が困難とることから、予め可動架台６を固定架台５に対して所定の角度に設定して組立を行ったに、可動架台６にソーラパネル装置４を実装するようにしてもよい。
【図面の簡単な説明】
【００４４】
【図１】  実施の形態として示すソーラパネル取付架台を屋根上に組み合わせて設置した状態の視図である。
【図２】  ソーラパネル装置を実装したソーラパネル取付架台の設置状態の側面図である。
【図３】  固定架台と可動架台との相対する角度を調整する角度調整機構を説明する一部切欠き部側面図である。
【図４】  角度調整機構を介して固定架台に対する可動架台の角度調整操作の説明図である。
【図５】  カバー部材の取付構造を説明する要部平面図である。
【図６】  カバー部材の取付構造を説明する要部縦断面図である。
【符号の説明】
【００４５】  １  ソーラパネル取付架台、２  屋根、３  ソーラパネル、４  ソーラパネル装置、  固定架台、６  可動架台、７  第１支柱部材、８  主横枠部材、９  主横枠部材、１  主縦枠部材、１１  主縦枠部材、１２  横支持枠部材、１３  縦支持枠部材、１４  台固定ブラケット部材、１５  主横枠部材、１６  主横枠部材、１７  主縦枠部材、１  主縦枠部材、２０  縦支持枠部材、２２  ソーラパネルブラケット部材、２３  ソーパネル取付ブラケット部材、２７  支持部、２８  支点部、２９  角度調整機構、３０  支持ブラケット部材、３１  角度調整ヒンジ、３２  支点ブラケット部材、３４  カバ部材、３８  第２支柱部材、３９  筋交い部材
【図１】
0003101437.tif 000003
【図２】
0003101437.tif 000004
【図３】
0003101437.tif 000005
【図４】
0003101437.tif 000006
【図５】
0003101437.tif 000007
【図６】
0003101437.tif 000008